(57)【要約】【課題】翼後縁部において圧力面近傍の流れが外周側に偏ってしまう傾向を軽減し、内周側へと流れを強く誘引することができ、送風力を大幅に向上できるプロペラファンを提供する。【解決手段】翼１０が、その後縁３近傍の半径方向中央部において負圧面５側に盛り上がり、少なくとも圧力面４側に開口しており、当該翼１０の後縁３から前縁２側へと延びる凹部６を具備し、前記凹部６が、半径方向断面を視た場合に前記負圧面５に対して所定角度をなして起立するとともに互いに対向する一対の側面部６１とを有しており、前記一対の側面部６１の間におけるスパン方向幅が上流側から下流側にかけて次第に大きくなるように構成した。【選択図】図３
2014066135.tif 000002
【特許請求の範囲】
【請求項１】
円筒状のハブの外周面に対して周方向に所定間隔ごとに取り付けられた複数枚の翼を備えるプロペラファンであって、
前記翼が、その後縁近傍の半径方向中央部において負圧面側に盛り上がり、少なくとも圧力面側に開口しており、当該翼の後縁から前縁側へと延びる凹部を具備し、
前記凹部が、半径方向断面を視た場合に前記負圧面に対して所定角度をなして起立するとともに互いに対向する一対の側面部とを有しており、
前記一対の側面部の間におけるスパン方向幅が上流側から下流側にかけて次第に大きくなるように構成されていることを特徴とするプロペラファン。
【請求項２】
ファン回転軸を中心として前記翼の外径をＲｔ、内径をＲｈ、翼の後縁における内径側にある側面部の端部までの半径をＲｉ、翼の後縁における外径側にある側面部の端部までの半径Ｒｏとし、Ｒｉ＝Ｒｈ＋α（Ｒｔ−Ｒｈ）、Ｒｏ＝Ｒｈ＋β（Ｒｔ−Ｒｈ）とした場合に、０．２≦α≦０．６、０．６≦β≦０．９となる範囲に設定されている請求項１記載のプロペラファン。
【請求項３】
前記凹部において、ファン回転軸に対する内径側にある側面部の傾斜角をθｉ、ファン回転軸に対する外径側にある側面の傾斜角をθｏとした場合に、５°≦θｉ≦６０°、５°≦θｏ≦６０°、かつ、θｉ≧θｏを満たす請求項１又は２記載のプロペラファン。
【請求項４】
前記凹部の前縁側端部が位置する半径での周方向断面を視た場合において、その翼弦長Ｌ０に対して、後縁から前記凹部の前縁側端部までの長さＬ１をＬ０の１０％〜６０％に設定されている請求項１乃至３いずれかに記載のプロペラファン。
【請求項５】
前記凹部の前縁側端部が位置する半径での周方向断面を視た場合において、前記凹部の前記負圧面側への深さｄが上流側から下流側にかけて次第に大きくなるとともに、翼後縁近傍における深さｄが所定深さｄｘで略一定となる深さ一定領域が設定されている請求項１乃至４いずれかに記載のプロペラファン。
【請求項６】
前記所定深さｄｘが翼弦長Ｌ０の２％〜１０％に設定されている請求項５記載のプロペラファン。
【請求項７】
前記凹部の前記各側面部の負圧面側に底部が形成されて閉塞されており、前記底部が負圧面と略並行な曲面を形成している請求項１乃至６いずれかに記載のプロペラファン。
【請求項８】
前記凹部が、負圧面側にも開口しており、前記一対の側面部のみで構成されている請求項１乃至６いずれかに記載のプロペラファン。
【請求項９】
前記各側面部と前記圧力面とが丸みを帯びて接続されている請求項１乃至８いずれかに記載のプロペラファン。
【請求項１０】
前記凹部の開口部の上流側端部近傍が丸みを帯びて接続されている請求項８又は９記載のプロペラファン。
【請求項１１】
前記凹部が、前記各側面部の圧力面側の上流側端部の間が中実となった埋め部を備えており、前記埋め部は隣接する圧力面と同一曲面を形成するように構成されている請求項１０記載のプロペラファン。
【請求項１２】
請求項１乃至１１いずれかに記載のプロペラファンを用いた空気調和装置。
【発明の詳細な説明】
【技術分野】
【０００１】
本発明は、例えば空気調和装置に用いられるプロペラファンの翼構造に関するものである。
【背景技術】
【０００２】
例えば図１に示すような全体が滑らかな曲線形状で形成されており、突出部や凹部が形成されていない一般的な翼１０Ａを備えたプロペラファン１００Ａを回転させると、回転中の翼の圧力面４Ａ近傍における流れは、図１に示すように遠心力によって翼出口（翼後縁３Ａ側）において外周側に偏った分布となる。そして、このような流れの偏りが生じることによりファン中央の円筒状のハブ１１Ａに近い部分では流れが不安定となりやすく、送風効率を低下させる問題がある。
【０００３】
このような問題に対して特許文献１では、図２に示すようにプロペラファン１００Ｂの翼後縁３Ｂ付近を負圧面５Ｂ側に翼前縁２Ｂ側を凸とする円弧状に膨出した形状６Ｂとすることにより、この膨出部分６Ｂより流れが流出しやすくして、半径方向の流れの分布を均一化することが提案されている。
【０００４】
しかしながら、特許文献１で示されているように翼後縁３Ｂ部分を膨出させると、同一半径断面の翼の反り線において、翼弦方向の途中で回転方向に角度が緩んでしまう。従って、翼後縁３Ｂにおいて流れが翼によって押されない部分が大きく存在することになり、送風力が低下することになる。また、翼後縁３Ｂ部分が円弧状に膨出した形状６Ｂとなっているのでこの部分に流れ込む流れは略円弧と直交した方向でスムーズに流れ込んでしまうため、流れ方向を外側から内側へと引き込む誘引力が小さく、送風効率を大きく改善するほどの効果を得ることができない。
【先行技術文献】
【特許文献】
【０００５】
【特許文献１】特開２００６−３７８００号公報
【発明の概要】
【発明が解決しようとする課題】
【０００６】
そこで、本発明は上述したような問題を鑑みてなされたものであり、翼後縁部において圧力面近傍の流れが外周側に偏ってしまう傾向を軽減し、内周側へと流れを強く誘引することができ、送風力を大幅に向上できるプロペラファンを提供する事を目的とする。
【課題を解決するための手段】
【０００７】
すなわち、本発明のプロペラファンは、円筒状のハブの外周面に対して周方向に所定間隔ごとに取り付けられた複数枚の翼を備えるプロペラファンであって、
前記翼が、その後縁近傍の半径方向中央部において負圧面側に盛り上がり、少なくとも圧力面側に開口しており、当該翼の後縁から前縁側へと延びる凹部を具備し、
前記凹部が、半径方向断面を視た場合に前記負圧面に対して所定角度をなして起立するとともに互いに対向する一対の側面部とを有しており、
前記一対の側面部の間におけるスパン方向幅が上流側から下流側にかけて次第に大きくなるように構成されていることを特徴とする。
【０００８】
このようなものであれば、前記凹部が負圧面に対して所定角度をなして起立するとともに互いに対向する一対の側面部を有しているので、負圧面と凹部との間で大きく曲率が変化することになるので、圧力面近傍の流れが凹部に誘引される力を大きくすることができる。
【０００９】
また、前記一対の側面部の間におけるスパン方向幅が上流側から下流側にかけて次第に大きくなるように構成されているので、前記各側面部の延びる方向と、前記凹部に対して誘引される直前の圧力面に沿った流れのなす角度を大きくすることができ、流れは側面部に対して垂直に入射しようとすることから外周側における流れの向きをより大きく変化させることができる。
【００１０】
したがって、前記凹部に圧力面近傍の流れが誘引されやすく、しかもその流れの向きを外周側から内周側へと大きく変化させることができるので、翼後縁部において圧力面に略均一に流れを分布させて、特に内周側の流れが不安定になり騒音や振動等が発生するのを防ぐことができ、送風効率を向上させることができる。
【００１１】
プロペラファンが回転することにより生じる遠心力により圧力面上において外周側へと偏る傾向のある遠心流れが発生する位置に前記凹部を形成し、効果的に偏流れを抑制できるようにするには、ファン回転軸を中心として前記翼の外径をＲｔ、内径をＲｈ、翼の後縁における内径側にある側面部の端部までの半径をＲｉ、翼の後縁における外径側にある側面部の端部までの半径Ｒｏとし、Ｒｉ＝Ｒｈ＋α（Ｒｔ−Ｒｈ）、Ｒｏ＝Ｒｈ＋β（Ｒｔ−Ｒｈ）とした場合に、０．２≦α≦０．６、０．６≦β≦０．９となる範囲に設定されていればよい。
【００１２】
翼に設けた凹部内に圧力面に沿って流れる気流が前記凹部内に流入しやすくなるとともに、前記各側面部に沿って形成される渦対が略均等になり送風効率を高められるようにするには、前記凹部において、ファン回転軸に対する内径側にある側面部の傾斜角をθｉ、ファン回転軸に対する外径側にある側面の傾斜角をθｏとした場合に、５°≦θｉ≦６０°、５°≦θｏ≦６０°、かつ、θｉ≧θｏを満たすものであればよい。
【００１３】
翼に設けた凹部への流入が、上流側から下流端まで円滑になるとともに、前記凹部の翼の出口角が凹部以外の隣接部分の出口角と略一致させて、半径方向に均一な流れとして送風効率を向上させるには、前記凹部の前縁側端部が位置する半径での周方向断面を視た場合において、その翼弦長Ｌ０に対して、後縁から前記凹部の前縁側端部までの長さＬ１をＬ０の１０％〜６０％に設定されていればよい。
【００１４】
前記凹部と圧力面の隣接部分に適切な段差を形成して、凹部への気流の流入をより確実にして遠心流れを抑制でき、送風効率を向上させるには、前記凹部の前縁側端部が位置する半径での周方向断面を視た場合において、前記凹部の前記負圧面側への深さｄが上流側から下流側にかけて次第に大きくなるとともに、翼後縁近傍における深さｄが所定深さｄｘで略一定となる深さ一定領域が設定されていればよい。
【００１５】
凹部を形成したことによる翼の強度低下を防ぎつつ、送風効率を向上させるには、前記凹部の前記各側面部の負圧面側に底部が形成されて閉塞されており、前記底部が負圧面と略並行な曲面を形成しているものであればよい。
【００１６】
前記凹部に取り込まれる気流によって翼の負圧面側に縦渦を発生さえて負圧面近傍の流れが剥離するのを抑制できるようにして、送風効率をさらに向上させるには、前記凹部が、負圧面側にも開口しており、前記一対の側面部のみで構成されていればよい。このようなものであれは、翼面積の低減による送風作用はやや低下するため、同等の送風量を確保するには回転数を増加させる必要はあるものの、凹部に流入する気流をより大きくすることができ、上述した負圧面に生じる縦渦により送風効率を向上させられる。
【００１７】
翼に設けた前記凹部への誘引される流れの乱れや損失を低減し、より一層、送風効率を向上させるには、前記各側面部と前記圧力面とが丸みを帯びて接続されていればよい。
【００１８】
前記凹部を前記圧力面及び負圧面の両方に対して開口させている場合でも凹部の上流側端部の遠心力による応力集中を防いで強度を大きくすることができ、翼を破損しにくくするには、前記各側面部において負圧面側の上流側端部近傍が丸みを帯びて接続されていればよい。
【００１９】
翼に設けた凹部が負圧面側も開口している場合でも上流端における遠心力による応力集中をさらに緩和することができ、破損しにくくするには、前記凹部が、前記各側面部の圧力面側の上流側端部の間が中実となった埋め部を備えており、前記埋め部は隣接する圧力面と同一曲面を形成するように構成されていればよい。
【００２０】
本発明のプロペラファンを用いた空気調和装置であれば、送風能力の向上によって効率よく空気調和装置を運転する事が可能となる。
【発明の効果】
【００２１】
このように本発明のプロペラファンによれば、翼に設けられた凹部が、半径方向断面を視た場合に前記負圧面に対して所定角度をなして起立するとともに互いに対向する一対の側面部とを有しており、前記一対の側面部の間におけるスパン方向幅が上流側から下流側にかけて次第に大きくなるように構成されているので、圧力面近傍を流れる流れを翼後縁部において凹部に強く誘引することができ、通常であれば外径側に偏りがちな流れを後縁部において半径方向に略均等に分布させることができ、送風効率を大幅に向上させることができる。
【図面の簡単な説明】
【００２２】
【図１】従来のプロペラファンの形状及び翼後縁部における流れの偏りについて示す模式的斜視図。
【図２】従来のプロペラファンにおいて翼後縁部に膨出部を備えた例を示す模式図。
【図３】本発明の第１実施形態に係るプロペラファンの模式的斜視図。
【図４】第１実施形態のＡ−Ａ線断面図であって、凹部の翼弦長方向の断面を示す模式図。
【図５】第１実施形態のファン回転軸に沿って負圧面を視た場合の模式図。
【図６】第１実施形態のＣ−Ｃ線断面図であって、凹部の半径方向断面を示す模式図。
【図７】第１実施形態の圧力面近傍の流れを示す模式的斜視図。
【図８】第１実施形態の凹部の位置を示すためのパラメータについて示す模式図。
【図９】第１実施形態の各側面部の傾斜角について示す模式図。
【図１０】第１実施形態の凹部が翼において占める位置及びその深さについて示す模式図。
【図１１】第１実施形態の凹部の翼弦長に占める割合と最大効率比との関係を示すグラフ。
【図１２】第１実施形態における凹部の深さの変化傾向について示すグラフ。
【図１３】本発明の第２実施形態に係るプロペラファンの模式的斜視図。
【図１４】第２実施形態のＢ−Ｂ線断面図であって、凹部の翼弦長方向の断面を示す模式図。
【図１５】第２実施形態のファン回転軸に沿って負圧面を視た場合の模式図。
【図１６】第２実施形態のＤ−Ｄ線断面図であって、凹部の半径方向断面を示す模式図。
【図１７】第２実施形態の変形例であって、凹部の半径方向断面を示す模式図。
【図１８】第２実施形態の変形例であって、凹部の翼弦長方向の断面を示す模式図。
【図１９】第２実施形態の変形例であって、ファン回転軸に沿って負圧面を視た場合の模式図。
【図２０】第１実施形態、第２実施形態、従来例のプロペラファンのファン効率を比較したグラフ。
【発明を実施するための形態】
【００２３】
本発明の第１実施形態について図面を参照しながら説明する。
【００２４】
第１実施形態のプロペラファン１００は、例えば空気調和装置の室外機に用いられるものであって、円筒状のハブ１１の外周面に対して周方向に所定間隔ごとに取り付けられた複数枚の翼１０を放射状に備えるものである。各図面ではプロペラファン１００の各翼１０のうち１つを代表させて記載している。
【００２５】
第１実施形態のプロペラファン１００の翼１０形状について翼１０を負圧面５側から視た模式的斜視図である図３と、図３のＡ−Ａ線に沿った翼弦長方向の断面図である図４を参照しながら説明する。
【００２６】
図３に示すように前記翼１０と円筒状のハブ１１の取り付け部分は、ハブ１１の一方の端面側から他方の端面側へとハブ１１の側面に所定のらせんが描かれるように取り付けられており、前記翼１０の前縁２が回転方向前方側へと延出させてある。また、前記翼１０は図３に示されるＡ−Ａ線の断面図である図４に示されるよう翼弦長方向において所定の反りが形成してあり、翼１０の凹んでいる側の面を圧力面４とし、翼１０における凸側の面を負圧面５としている。
【００２７】
そして、図３及び図４に示されるように、この翼１０は後縁３側の中央部において負圧面５側に盛り上がり、圧力面４側が凹んだ凹部６が形成してある。
【００２８】
以下ではこの凹部６の形状及び寸法等に関する特徴について図３乃至図１０を参照しながら詳述する。
【００２９】
前記凹部６は、回転軸Ｃに沿って翼１０の負圧面５を視た図５のＣ−Ｃ線断面である図６に示されるように後縁３の近傍の半径方向中央部において負圧面５側に盛り上がり、圧力面４側に開口させて形成してある。図５から分かるように前記凹部６は、回転軸Ｃの延伸する方向にそって負圧面５又は圧力面４を視た場合には概略ハの字形状に翼前縁２側から後縁３側へと広がって形成してある。
【００３０】
また、図６の凹部６を含む翼１０の半径方向断面から明らかなように、前記凹部６の半径方向断面を視た場合、負圧面５側に底部６２を有する概略コの字状をなしている。より具体的には、前記凹部６は、半径方向断面を視た場合に前記負圧面５に対して所定角度をなして起立するとともに互いに対向する一対の側面部６１とを有しており、各側面部６１の負圧面５側を閉塞するように概略角丸三角形状の曲面である底部６２が設けてある。言い換えると、図６の断面図からも分かるように凹部６がある部分について半径方向の断面を視た場合、圧力面４又は負圧面５と前記側面部６１との接続部分は大きく曲率が変化するように接続している。
【００３１】
さらに、図３及び図５から分かるように前記一対の側面部６１の間におけるスパン方向幅が上流側（前縁２側）から下流側（後縁３側）にかけて次第に大きくなるようにして概略ハの字状となるように形成してある。
【００３２】
このような形状の凹部６が翼後縁部の中央に形成してあるので、図７の流線により示す圧力面４近傍の流れは、翼後縁部においてこの凹部６に誘引されることになる。このため、図１と図５を比較すると分かるように通常であれば外径側に偏ってしまう気流を翼後縁部において略均一にすることができ、ハブ１１との接続側である内径側においてほとんど剥離や流れの乱れを生じさせないようにすることができる。
【００３３】
次に、このような気流の均一化を達成するのに適した凹部６の位置や寸法範囲等について説明する。
【００３４】
まず、前記凹部６の翼後縁部における配置について説明する。図８に示すように凹部６の形成一はファン回転軸Ｃを中心として前記翼１０の外径をＲｔ、内径をＲｈ、翼１０の後縁３における内径側にある側面部６１の端部までの半径をＲｉ、翼１０の後縁３における外径側にある側面部６１の端部までの半径Ｒｏとし、Ｒｉ＝Ｒｈ＋α（Ｒｔ−Ｒｈ）、Ｒｏ＝Ｒｈ＋β（Ｒｔ−Ｒｈ）とした場合に、０．２≦α≦０．６、０．６≦β≦０．９となる範囲に設定してある。
【００３５】
次に、前記凹部６の盛り上がり方、すなわち、各側面部６１と負圧面５に対する起立の仕方については図９を参照しながら説明する。図９に示すように前記凹部６において、ファン回転軸Ｃに対する内径側にある側面部６１の傾斜角をθｉ、ファン回転軸Ｃに対する外径側にある側面の傾斜角をθｏとした場合に、５°≦θｉ≦６０°、５°≦θｏ≦６０°、かつ、θｉ≧θｏを満たすようにしてある。言い換えると、圧力面４から視た場合において、外径側の傾斜の方が急激に変化するようにしてあり、外径側の流れが凹部６内へと誘引される力が強くなるようにしてある。このようにすることで、内径側の側面部６１と外径側の側面部６１においてそれぞれ形成される一対の縦渦の大きさも均等にすることができ、送風効率をより向上させやすくなる。
【００３６】
さらに、前記凹部６が翼１０において翼弦長方向に占める大きさやその凹部６の深さについて説明する。図３のＡ−Ａ線断面図である図１０に示すように前記凹部６の前縁２側端部が位置する半径での周方向断面を視た場合において、その翼弦長Ｌ０に対して、後縁３から前記凹部６の前縁２側端部までの長さＬ１をＬ０の１０％〜６０％に設定してある。より具体的には、翼弦長Ｌ０に対する前記凹部６の長さＬ１の比率を変化させていくと、図１１のグラフに示すようにＬ１がＬ０の１０％〜６０％の間に設定されている時に最大効率比が最大値を取ることが分かる。すなわち、より好ましくはＬ１をＬ０の２０％〜４５％に設定するとよい。さらに好ましくはＬ１をＬ０の略３０％に設定すれば最大効率比の値を最大にすることができる。
【００３７】
また、凹部６の深さｄについては前記凹部６の前縁２側端部が位置する半径での周方向断面を視た場合において、前記凹部６の前記負圧面５側への深さｄを上流側から下流側にかけて次第に大きくするとともに、翼後縁３近傍における深さｄが所定深さｄｘで略一定となる深さ一定領域を設定してある。また、前記所定深さｄｘが翼弦長Ｌ０の２％〜１０％に設定してある。より具体的には図１２のグラフに示すように凹部６の深さｄは、上流側開始点の近傍では急激に深さを変化させておき、翼後縁部においてはその変化率を小さくするようにしてある。
【００３８】
上述したように凹部６の翼１０に占める大きさを設定することで、翼１０本来の機能と遠心流れの是正に関する機能とについてバランスさせることができ、送風効率を好適に向上させることができる。また、凹部６の深さｄを上述したような値にすれば近傍の圧力面４と凹部６との段差により流れを確実に流入させることができる。従って、遠心流れを抑制でき、送風効率を向上させることができる。
【００３９】
次に本発明の第２実施形態に係るプロペラファン１００について図１３〜図１６を参照しながら説明する。
【００４０】
第２実施形態では図１３に示すように凹部６が圧力面４側だけでなく、負圧面５側にも開口しており、各側面部６１のみで凹部６が形成されている点が第１実施形態とは異なっている。言い換えると、第１実施形態において前記凹部６は底部６２を有していたが第２実施形態では底部６２を切り取った形状に開口部６５が形成してある。
【００４１】
以下に第２実施形態の翼１０形状の詳細について説明する。
【００４２】
図１３、図１５に示すように凹部６の底部６２は概略角丸三角形状に切り取ってあり、図１３のＢ−Ｂ線断面図である図１４、図１５のＤ−Ｄ線断面図である図１６に示すように、凹部６は負圧面５に対して起立する２つの側面部６１のみで構成してある。
【００４３】
すなわち、第１実施形態の図４と第２実施形態の図１４とを比較すると分かるように凹部６の上流側端部の深さに関しては同様であるが、凹部６における下流側の薄板部分を無くしてある。また図１６に示すように圧力面４の近傍を流れる流れが凹部６に誘引されると前記側面部６１に沿って流れた後に負圧面５側へと流出し、負圧面５において縦渦を形成することになる。この負圧面５において形成される縦渦により負圧面５近傍の流れの剥離が抑制されるため送風効率をさらに向上させることができる。
【００４４】
また、前記各側面部６１において負圧面５側の上流側端部近傍６４が丸みを帯びて接続してあり、その曲率半径を翼１０厚さの１倍から５倍に設定してある。このようにすることで翼１０に設けた開口部の上流端において、遠心力による応力集中を防ぎ破損しにくくすることができる。言い換えると、凹部６の底部６２を切り取ることによる翼１０の強度低下を防ぎつつ、送風効率を向上させることができるようになる。
【００４５】
次に第２実施形態の変形例について図１７〜図１９を参照しながら説明する。
【００４６】
図１７に示すように前記各側面部６１と前記圧力面４とが丸みを帯びて接続するようにしても構わない。すなわち、図１６に示したように各側面部６１と圧力面４とが尾根を形成するように接続するのではなく、図１７に示すようにラウンド形状とすることによって圧力面４から側面部６１に沿って負圧面５へと流れる流れの損失や乱れを低減し、より送風効率を向上させることができる。
【００４７】
また、図１８、図１９に示すように前記凹部６が、前記各側面部６１の圧力面４側の上流側端部の間が中実となった埋め部６３を備えており、前記埋め部６３は隣接する圧力面４と同一曲面を形成するように構成してもよい。図１４と図１８とを比較すると分かるように図１８では、埋め部６３によって凹部６の先端部分の中実部分が図１４と比べて大きくなるようにしてある。このようにすることで、翼１０に設けた開口部の上流端において、遠心力による応力集中をさらに緩和することができ、破損を防ぎやすくなる。
【００４８】
最後に第１実施形態のプロペラファン１００、第２実施形態のプロペラファン１００、従来例のプロペラファン１００Ａの送風効率の比較結果を示す。
【００４９】
図２０のグラフに示すように第１実施形態及び第２実施形態のプロペラファン１００であれば、凹部６により流れの引き寄せ効果により翼１０出口流れを略均一にできることから、従来のプロペラファン１００Ａと比較して送風効率を良くできていることが分かる。また、第２実施形態のように凹部６の底面を無くし翼１０に切り欠き部分を形成している場合が最も送風効率を向上させることができており、従来例に比べて送風効率を１０％程度向上できていることが分かる。
【００５０】
その他の実施形態について説明する。
【００５１】
前記各実施形態では空気調和装置に用いられるプロペラファンを示したが、その他の用途に本発明のプロペラファンを用いても構わない。また、凹部の底面を残すか取り除くかについては、例えば求められる送風効率と、求められる翼の強度等との兼ね合いで適宜決定すればよい。
【００５２】
また、本発明の趣旨に反しない限りにおいて様々な実施形態の組み合わせや変形を行っても構わない。
【符号の説明】
【００５３】
１００    ：プロペラファン
１０      ：翼
１１      ：ハブ
２        ：前縁
３        ：後縁
４        ：圧力面
５        ：負圧面
６        ：凹部
６１      ：側面部
６１      ：各側面部
６２      ：底部
６３      ：埋め部
６４      ：上流側端部近傍
６５      ：開口部
Ｃ        ：回転軸
【図１】
2014066135.tif 000003
【図２】
2014066135.tif 000004
【図３】
2014066135.tif 000005
【図４】
2014066135.tif 000006
【図５】
2014066135.tif 000007
【図６】
2014066135.tif 000008
【図７】
2014066135.tif 000009
【図８】
2014066135.tif 000010
【図９】
2014066135.tif 000011
【図１０】
2014066135.tif 000012
【図１１】
2014066135.tif 000013
【図１２】
2014066135.tif 000014
【図１３】
2014066135.tif 000015
【図１４】
2014066135.tif 000016
【図１５】
2014066135.tif 000017
【図１６】
2014066135.tif 000018
【図１７】
2014066135.tif 000019
【図１８】
2014066135.tif 000020
【図１９】
2014066135.tif 000021
【図２０】
2014066135.tif 000022